(57)【特許請求の範囲】
【請求項１】
ＡＶデータをプレイリストと呼ばれる再生単位で管理するシステムにおいて、フォルダ内にある複数のプレイリストの全てのプレイリストの情報を管理する全プレイリスト情報管理手段と、前記複数のプレイリストのうち、指定されたプレイリストの属性を変更し、前記全プレイリスト情報管理手段に属性変更を通知するプレイリスト属性変更手段と、フォルダ内の全てのクリップの情報を管理する全クリップ情報管理手段と、前記属性を変更したプレイリストが参照している全てのクリップの属性を変更し、前記全クリップ情報管理手段に属性変更を通知する対象クリップ属性変更手段と、前記変更があったクリップを参照している他のプレイリストの属性を変更するか否かを判定し、変更が必要と判断された場合には、前記プレイリスト属性変更手段に通知するプレイリスト属性変更判別手段と、前記全プレイリスト情報管理手段からの通知により、更新されたプレイリストの属性情報をディスクに書き込むディスク書き込み手段とを備えることを特徴とするＡＶデータ編集装置。
【請求項２】
二つ以上のプレイリストを結合するプレイリスト結合手段と、元のプレイリストの属性が異なる場合にどちらの属性に合わせるかを判定する対象プレイリスト属性変更判別手段とをさらに備えたことを特徴とする、請求項１に記載のＡＶデータ編集装置。
【請求項３】
前記プレイリスト属性変更判別手段においてプレイリスト属性変更が必要な場合に、ユーザに問い合わせを行うユーザ問い合わせ手段をさらに備えたことを特徴とする、請求項１または請求項２に記載のＡＶデータ編集装置。
【請求項４】
前記対象プレイリスト属性変更判別手段においてプレイリスト属性変更が必要な場合に、ユーザに問い合わせを行うユーザ問い合わせ手段をさらに備えたことを特徴とする請求項２に記載のＡＶデータ編集装置。
【請求項５】
リアルプレイリストの消去を行うリアルプレイリスト消去手段と、リアルプレイリストが参照しているクリップを消去する対象クリップ消去手段と、クリップの消去により影響を受けるバーチャルプレイリストの更新を行うか否かの判定を行うバーチャルプレイリスト情報変更判別手段と、バーチャルプレイリストの情報を更新するバーチャルプレイリスト情報更新手段とをさらに備えたことを特徴とする、請求項１から請求項４のいずれかの請求項に記載のＡＶデータ編集装置。
【請求項６】
ＡＶデータをプレイリストと呼ばれる再生単位で管理するシステムにおいて、フォルダ内にある複数のプレイリストのうち、指定されたプレイリストの属性を変更する第１ステップと、プレイリストの属性を変更した場合にディスクにその情報を書き込む第２ステップと、属性を変更したプレイリストが参照している全てのクリップの属性を変更する第３ステップと、変更があったクリップを参照している他のプレイリストの属性を変更するか否かを判定する第４ステップと、前記第４ステップにおいて属性を変更すると判定した場合にはその変更を指示する第５ステップとを有することを特徴とするＡＶデータ編集方法。
【発明の詳細な説明】
【技術分野】
【０００１】
本発明は、ハードディスクあるいは光ディスクなどの大容量記録メディアに記録されたＡＶデータの再生制御を管理する情報及びフラグを管理し、ユーザが設定した再生制御のフラグの値に応じて自動で関連するその他のＡＶデータの再生制御情報を更新することが可能なＡＶデータ編集装置及び方法に関するものである。
【背景技術】
【０００２】
近年、情報記録媒体としてＤＶＤやＢＤ（ブルーレイディスク）等の光ディスク及びあるいはハードディスクを用いて、ＡＶデータを記録、再生、編集するＡＶデータ編集装置が普及している。ＤＶＤやＢＤ等の規格では、ディスク内でのＡＶデータの再生や名称などの情報を管理するための管理情報ファイルが定義されている。たとえばＡＶデータをユーザが再生制御する単位としてプレイリストとよばれる管理情報が定義されている。プレイリストは再生が連続に行われることをユーザが暗黙的に期待する単位のことで、最も簡単なプレイリストの例は、録画開始から録画停止までの一連のＡＶデータ（コンテンツ）である。また、このプレイリストには再生におけるいくつかの属性が定義されており、たとえばＢＤで定義されるプレイリストは容易に他人に見られないようにするために、プレイリストの再生や情報の取得を許すかどうかのフラグを設定することができるようになっている。（例えば特許文献１および特許文献２参照）この技術は、同一フォルダ内の全プレイリストを管理する管理情報内の再生可否を制御するフラグ（ＤＶＲ＿ｐｒｏｔｅｃｔ＿ｆｌａｇ）を見て、先に再生許可のための暗証番号入力がＯＫなら、個々に設定されているプレイリストの再生可否を制御するフラグの値（Ｐｌａｙｂａｃｋ＿ｃｏｎｔｒｏｌ＿ｆｌａｇ）の値に関わらず再生を許可して、暗証番号の入力を省略することを可能としている。
【０００３】
一方、ＢＤなどで定義されるプレイリストにはクリップと直接関連付けられるリアルプレイリストと、クリップとは間接的に結びついているバーチャルプレイリストが存在する。ここで、リアルプレイリストとバーチャルプレイリストおよびクリップの関係について、図１を使って説明する。リアルプレイリストおよびバーチャルプレイリストは共にひとつ以上のＰｌａｙＩｔｅｍと呼ばれる論理的な再生単位で構成される。ＰｌａｙＩｔｅｍはクリップの再生開始時間と終了時間を管理しており、ＡＶデータであるクリップを管理するクリップ情報と関連付けられている。リアルプレイリストはこのクリップと直接関連付けられているため、リアルプレイリストの編集はクリップに影響を与えるが、バーチャルプレイリストは間接的にクリップを参照しているだけなので、バーチャルプレイリストの編集を行ってもクリップには何も影響がない。よってリアルプレイリストの一部または全部を消去するとそれに対応したクリップも消去されるが、バーチャルプレイリストを消去してもクリップは消去されない。
【０００４】
次に、図１０−ａに、従来の技術での動作の一例を示すためのデータ構成図を示す。これには三つのリアルプレイリストおよび、二つのバーチャルプレイリストが存在しており、図の矢印で示すとおりそれぞれがクリップを参照している。図１０−ｂは、図１０−ａのような構成のデータに対して、リアルプレイリストの属性の変更を従来の技術で行った場合の結果を示すものである。図１０−ｃは、図１０−ａのような構成のデータに対して、バーチャルプレイリストの属性の変更を従来の技術で行った場合の結果を示すものである。これらの図で示すとおり、リアルプレイリストおよびバーチャルプレイリストの属性（ここでは再生可否を示すフラグＰＬＡＹＢＡＣＫ＿ＣＯＮＴＲＯＬ＿ＦＬＡＧ）を変更しても従来の技術では、プレイリストの再生可否を制御するフラグの設定において、同一のＡＶデータ（以下クリップ）を参照している別のプレイリストへその再生可否を制御するフラグの情報を反映させることができない。つまり、リアルプレイリストの再生可否を制御するフラグをＯＮとしても、バーチャルプレイリストへその情報が伝わらないため、リアルプレイリストを再生するためには暗証番号の入力が必要となるのに、同じＡＶデータを参照するバーチャルプレイリストは無条件で再生ができてしまうという不整合が起きてしまう。
【特許文献１】特許第３７１６９２０号公報
【特許文献２】Ｂｌｕ−ｒａｙ  Ｄｉｓｃ  Ｓｙｓｔｅｍ  Ｄｅｓｃｒｉｐｔｉｏｎ  Ｂｌｕ−ｒａｙ  Ｄｉｓｃ  Ｓｙｓｔｅｍ  Ｄｅｓｃｒｉｐｔｉｏｎ  Ｂｌｕ−ｒａｙ  Ｄｉｓｃ  Ｒｅｗｒｉｔａｂｌｅ  Ｆｏｒｍａｔ  Ｐａｒｔ３  Ａｕｄｉｏ  Ｖｉｓｕａｌ  Ｂａｓｉｃ  Ｓｐｅｃｉｆｉｃａｔｉｏｎｓ
【発明の開示】
【発明が解決しようとする課題】
【０００５】
ＡＶデータ（以降クリップと呼ぶ）をプレイリストと呼ばれる再生単位で管理するシステムにおいて、本発明が解決しようとする課題は、同一のフォルダ内に属するすべてのプレイリストの再生可否を制御するフラグなどの属性情報を、リアルプレイリストは再生禁止となっているのに、同じクリップを参照するバーチャルプレイリストは無条件で再生が可能などといった不整合を起こすことなく、すべてのプレイリストに対して適切な属性情報を設定することが可能とする点である。
【課題を解決するための手段】
【０００６】
本発明は、ＡＶデータをプレイリストと呼ばれる再生単位で管理するシステムにおいて、フォルダ内の全てのプレイリスト（リアル、バーチャルとも）の情報を管理する全プレイリスト情報管理手段と、指定されたプレイリストの属性を変更するプレイリスト属性変更手段と、プレイリストが参照している全てのクリップの属性を変更する対象クリップ属性変更手段と、フォルダ内の全てのクリップの情報を管理する全クリップ情報管理手段と、変更があったクリップを参照しているプレイリストの属性を変更するか否かを判定するプレイリスト属性変更判別手段と、更新されたプレイリストの情報ディスクに書き込むディスク書き込み手段を最も主要な特徴とする。
【発明の効果】
【０００７】
本発明のＡＶデータ編集装置及び方法は、リアルプレイリストでは再生可否を示すフラグが再生禁止となっているのに、同じクリップを参照しているバーチャルプレイリストは再生可能となってしまう不整合がなくなることと、逆にバーチャルプレイリストの再生可否を示すフラグをユーザが変更した場合でも、他のプレイリストのフラグを自動で更新して全体の整合性をとることができるという利点がある。
【発明を実施するための最良の形態】
【０００８】
以下、本発明の実施形態について添付の図面を参照して説明する。なお、各図面において同一の符号は同一の構成要素または同様の作用、動作をなすものを表す。
【０００９】
（実施の形態１）
図２は、本発明装置の実施の形態１のＡＶデータ編集装置及び方法の構成を示すブロック図である。図２において、このＡＶデータ編集装置及び方法は 全プレイリスト情報管理手段１１、プレイリスト属性変更手段１２、対象クリップ属性変更手段１３、全クリップ情報管理手段１４、プレイリスト属性変更判別手段１５、ディスク書き込み手段１６を備える。
【００１０】
ＡＶデータ編集装置及び方法の各構成部材について説明する。まず、全プレイリスト情報管理手段１１では、フォルダ内の全てのプレイリスト（リアル、バーチャルとも）の情報を管理し、プレイリスト属性変更手段１２では、指定されたプレイリストの属性を変更して全プレイリスト情報管理手段１１にプレイリスト情報の更新を通知し、対象クリップ属性変更手段１３では、対象となるクリップの属性を変更して全クリップ情報管理手段１４にクリップ情報の更新を通知し、全クリップ情報管理手段１４では、フォルダ内の全てのクリップの情報を管理し、プレイリスト属性変更判別手段１５では、変更のあったクリップ情報に基づいて参照しているプレイリストの属性を変更するか否かを判別して、変更が必要な場合はプレイリスト属性変更手段１２へ属性の変更を指示し、ディスク書き込み手段１６では、変更のあったプレイリストの情報をディスクに書き込む。
【００１１】
次に、図２を参照しながら、本実施の形態１のＡＶデータ編集装置及び方法の動作を動作の説明を行う。まず、ユーザ操作によりある特定のプレイリストの再生可否を制御するフラグなどの属性の変更がプレイリスト属性変更手段１２にて行われ、そのプレイリスト属性更新情報は全プレイリスト情報管理手段１１に伝わり、ディスク書き込み手段１６にて更新プレイリスト情報がディスクに書き込まれ、一方属性を変更したプレイリストのプレイリスト内クリップ情報を元に対象となるクリップの属性の変更が対象クリップ属性変更手段１３にて行われ、そのクリップ属性更新情報は全クリップ情報管理手段１４に伝わり、プレイリスト属性変更判別手段１５にて属性の変更のあったクリップ情報及び全プレイリスト情報管理手段１１が管理している全プレイリスト情報を元に属性を変更すべきプレイリストが存在するか否かを判定して、変更すべきプレイリストが存在する場合はプレイリスト属性変更指示情報をプレイリスト属性変更手段１２へ通知し、以後プレイリスト属性変更判別手段１５にて変更すべきプレイリストがなくなるまで上記操作を繰り返す。
【００１２】
図３−ａに、本実施の形態１のＡＶデータ編集装置及び方法の動作の一例を示すためのデータ構成図を示す。これには三つのリアルプレイリストおよび、二つのバーチャルプレイリストが存在しており、図の矢印で示すとおりそれぞれがクリップを参照している。図３−ｂは、図３−ａのような構成のデータに対して、リアルプレイリストの属性（ここでは再生可否を示すフラグＰＬＡＹＢＡＣＫ＿ＣＯＮＴＲＯＬ＿ＦＬＡＧ）の変更を本実施の形態１のＡＶデータ編集装置及び方法で行った場合の結果を示すものである。図３−ｃは、図３−ａのような構成のデータに対して、バーチャルプレイリストの属性（ここでは再生可否を示すフラグＰＬＡＹＢＡＣＫ＿ＣＯＮＴＲＯＬ＿ＦＬＡＧ）の変更を本実施の形態１のＡＶデータ編集装置及び方法で行った場合の結果を示すものである。これらの図で示すとおり、リアルプレイリストおよびバーチャルプレイリストの属性が共に整合性が取れたものになっている。
【００１３】
以上のように実施の形態１によれば、リアルプレイリストあるいはバーチャルプレイリストの属性の変更により、同一のクリップを参照しているほかのプレイリストの属性を自動で更新することが可能である。
【００１４】
（実施の形態２）
図４は、本発明装置の実施の形態２のＡＶデータ編集装置及び方法の構成を示すブロック図である。図４において、３１はプレイリスト属性変更判別手段１５にてプレイリストの変更が必要と判断された場合でもユーザに確認をとるためのユーザ問い合わせ手段であり、３０１はユーザ問い合わせ手段３１でユーザが示したユーザ判定情報である。それ以外の符号で図２と同じ符号を有するものは同じ機能を有するので詳細な説明は省略する。
【００１５】
次に、図４を参照しながら、以上のように構成された実施の形態２のＡＶデータ編集装置及び方法の動作を動作の説明を行う。プレイリスト属性変更判別手段１５にて更新されたクリップ情報とプレイリスト情報に基づいて新たにプレイリストの属性変更の必要があると判断した場合でも、ユーザ問い合わせ手段３１にてユーザにその是非の確認をとり、ユーザが認めたときだけそのプレイリストの属性情報の更新を行い、以降そのプレイリストに対してはユーザの判定した情報に従って属性の設定を行う。
【００１６】
以上のように実施の形態２によれば、ユーザが判定した情報を保持しておくことで、ユーザの意図しないプレイリストの属性の変更を行うことなく、そのほかのプレイリストの属性については自動で更新することが可能である。
【００１７】
（実施の形態３）
図５は、本発明装置の実施の形態３のＡＶデータ編集装置及び方法の構成を示すブロック図である。図５において、４１は指定された二つのプレイリスト同士（リアルプレイリスト同士または、バーチャルプレイリスト同士）を結合するプレイリスト結合手段であり、４０１は結合対象プレイリストであり、４２は結合後のプレイリストの属性を判別する対象プレイリスト属性変更判別手段であり、４０２はプレイリスト属性変更指示であり、４０３はプレイリスト結合更新情報である。それ以外の符号で図２と同じ符号を有するものは同じ機能を有するので詳細な説明は省略する。
【００１８】
次に、図５を用いて、以上のように構成された実施の形態３のＡＶデータ編集装置及び方法の動作を説明する。まず、ユーザ操作により結合する二つのプレイリストが指定されてプレイリスト結合手段４１において二つのプレイリストが結合される。ここでいう結合とはプレイリストの管理情報がひとつになり、その中に含まれるＰｌａｙＩｔｅｍが元の二つのプレイリストに含まれていたＰｌａｙＩｔｅｍを全て持つということであり、クリップには影響を及ぼさない。対象プレイリスト属性変更判別手段４２において元の二つのプレイリストの属性が異なるか否かを判別し、異なる場合のみプレイリスト属性変更手段１２に対してプレイリスト属性変更指示を通知し、一連の処理が完了した後プレイリスト結合手段４１は全プレイリスト情報管理手段１１に対してプレイリスト結合更新情報を通知する。その他は実施の形態２に記載の各処理と同じ手順であるので詳細な説明は省略する。
【００１９】
図６−ａは、図３−ａのような構成のデータに対して、リアルプレイリスト１と２の結合を本実施の形態３のＡＶデータ編集装置及び方法で行った場合の元の属性からの変化の結果を示すものである。図６−ｂは、図３−ａのような構成のデータに対して、リアルプレイリスト１と３の結合を本実施の形態３のＡＶデータ編集装置及び方法で行った場合の元の属性からの変化の結果を示すものである。図６−ｃは、図３−ａのような構成のデータに対して、リアルプレイリスト２と３の結合を本実施の形態３のＡＶデータ編集装置及び方法で行った場合の元の属性からの変化の結果を示すものである。図６−ｄは、図３−ａのような構成のデータに対して、バーチャルプレイリスト１と２の結合を本実施の形態３のＡＶデータ編集装置及び方法で行った場合の元の属性からの変化の結果を示すものである。これらの図で示すとおり、プレイリストの結合後の属性（ここでは再生可否を示すフラグＰＬＡＹＢＡＣＫ＿ＣＯＮＴＲＯＬ＿ＦＬＡＧ）が共に整合性が取れたものになっている。
【００２０】
以上のように実施の形態３によれば、プレイリストの結合において、影響のある他のプレイリストの属性を自動で更新することが可能である。
【００２１】
（実施の形態４）
図７は、本発明装置の実施の形態４のＡＶデータ編集装置及び方法の構成を示すブロック図である。図７において、５１は対象プレイリスト属性変更判別手段４２にて二つのプレイリストの属性が異なりいずれかのプレイリストの変更が必要と判断された場合でもユーザの確認をとるためのユーザ問い合わせ手段であり、５０１はユーザ問い合わせ手段５１でユーザが示したユーザ判定情報である。それ以外の符号で図２と同じ符号を有するものは同じ機能を有するので詳細な説明は省略する。
【００２２】
次に、以上のように構成された実施の形態４のＡＶデータ編集装置及び方法の動作を図７を参照しながら動作の説明を行う。対象プレイリスト属性変更判別手段４２にて二つのプレイリストの属性が異なりいずれかのプレイリストの変更が必要と判断された場合でも、ユーザ問い合わせ手段５１にてユーザにその是非の確認をとり、ユーザが判断したいずれかの属性に従ってプレイリストの属性情報の更新を行う。
【００２３】
以上のように実施の形態４によれば、プレイリストの結合において、ユーザの意思でプレイリストの属性の変更を行うことが可能である。
【００２４】
（実施の形態５）
図８は、本発明装置の実施の形態５のＡＶデータ編集装置及び方法の構成を示すブロック図である。図８において、６１は指定されたリアルプレイリストを消去するリアルプレイリスト消去手段であり、６０１はリアルプレイリスト内クリップ情報であり、６２は対象のクリップの管理情報およびクリップを消去する対象クリップ消去手段であり、６０２はクリップ消去更新情報であり、６０３は消去クリップ情報であり、６０４はバーチャルプレイリスト情報であり、６３は消去されたクリップに影響のあるバーチャルプレイリストが存在するか否かを判別するバーチャルプレイリスト情報変更判別手段であり、６０５はバーチャルプレイリスト構成変更指示情報であり、６４はバーチャルプレイリストの構成を変更するバーチャルプレイリスト情報更新手段であり、６０６はバーチャルプレイリスト更新情報である。それ以外の符号で図２と同じ符号を有するものは同じ機能を有するので詳細な説明は省略する。
【００２５】
次に、図８を用いて、以上のように構成された実施の形態５のＡＶデータ編集装置及び方法の動作を説明する。まず、ユーザ操作により消去するリアルプレイリストが指定されてリアルプレイリスト消去手段６１においてプレイリストが消去され、対象クリップ消去手段６２においてリアルプレイリストが参照していたクリップを消去して全クリップ情報管理手段１４にクリップ消去更新情報を通知し、全クリップ情報管理手段１４はプレイリスト属性変更判別手段１５にクリップ情報を通知するともに、バーチャルプレイリスト情報変更判別手段６３に消去クリップ情報を通知し、バーチャルプレイリスト情報変更判別手段６３にてバーチャルプレイリスト情報および消去クリップ情報を元に変更が必要なバーチャルプレイリストが存在するか否かを判別し、存在する場合のみバーチャルプレイリスト情報更新手段６４に対してバーチャルプレイリスト構成変更指示情報を通知し、バーチャルプレイリスト情報更新手段６４にて対象となる仮想プレイリストの情報を更新する。ここで、クリップの消去によりバーチャルプレイリストも消去が必要な場合はそのバーチャルプレイリストを消去し、一部の消去ですむ場合はバーチャルプレイリスト内のＰｌａｙＩｔｅｍの構成を変更してバーチャルプレイリストの情報を更新し、全プレイリスト情報管理手段１１へバーチャルプレイリスト更新情報６０６を通知する。一連の処理が完了した後リアルプレイリスト消去手段６１は全プレイリスト情報管理手段１１に対してリアルプレイリスト消去更新情報を通知する。その他は実施の形態１に記載の各処理と同じ手順であるので詳細な説明は省略する。
【００２６】
図９−ａは、図３−ａのような構成のデータに対して、リアルプレイリストの消去を本実施の形態５のＡＶデータ編集装置及び方法で行った場合の結果を示すものである。これらの図で示すとおり、リアルプレイリストの消去後の属性（ここでは再生可否を示すフラグＰＬＡＹＢＡＣＫ＿ＣＯＮＴＲＯＬ＿ＦＬＡＧ）が共に整合性が取れたものになっている。
【００２７】
以上のように実施の形態５によれば、リアルプレイリストの消去において、影響のあるバーチャルプレイリストの属性を自動で更新することが可能である。
【００２８】
なお、本発明はコンピュータプログラムとして実現してもよい。また、電気通信回線または記録媒体等を介してそのプログラムを配布し、コンピュータを用いて本発明を実施することもできる。上述の通り、本発明は好ましい実施形態により詳細に説明されるが、本発明はこれらに限定されるものではなく、特許請求の半家に記載された本発明の技術的範囲内において好ましい変形例及び修正例が可能であることは当業者にとって自明なことであろう。
【産業上の利用可能性】
【００２９】
本発明にかかるＡＶデータ編集装置及び方法は、ＡＶデータをプレイリストと呼ばれる再生単位で管理するシステムにおいて、フォルダ内の全てのプレイリスト（リアル、バーチャルとも）の情報を管理する全プレイリスト情報管理手段と、指定されたプレイリストの属性を変更するプレイリスト属性変更手段と、プレイリストが参照している全てのクリップの属性を変更する対象クリップ属性変更手段と、フォルダ内の全てのクリップの情報を管理する全クリップ情報管理手段と、変更があったクリップを参照しているプレイリストの属性を変更するか否かを判定するプレイリスト属性変更判別手段と、更新されたプレイリストの情報ディスクに書き込むディスク書き込み手段によって、リアルプレイリストでは再生可否を示すフラグが再生禁止となっているのに、同じクリップを参照しているバーチャルプレイリストは再生可能となってしまう不整合がなくなることと、逆にバーチャルプレイリストの再生可否を示すフラグをユーザが変更した場合でも、他のプレイリストのフラグを自動で更新して全体の整合性をとることが必要な用途にも適用できる。
【図面の簡単な説明】
【００３０】
【図１】クリップとＰｌａｙＩｔｅｍとプレイリストの関係を表す図
【図２】本発明の実施の形態１に於けるＡＶデータ編集装置及び方法の例を示すブロック図
【図３】本発明のＡＶデータ編集装置及び方法で用いるプレイリストの例を示すブロック図
【図４】本発明の実施の形態２に於けるＡＶデータ編集装置及び方法の例を示すブロック図
【図５】本発明の実施の形態３に於けるＡＶデータ編集装置及び方法の例を示すブロック図
【図６】本発明の実施の形態３に於けるリアルプレイリスト１と２の結合時の結果を表した図
【図７】本発明の実施の形態４に於けるＡＶデータ編集装置及び方法の例を示すブロック図
【図８】本発明の実施の形態５に於けるＡＶデータ編集装置及び方法の例を示すブロック図
【図９】本発明の実施の形態５に於けるリアルプレイリスト消去時の結果を表した図
【図１０】従来の処理で用いるプレイリストの例を示すブロック図
【符号の説明】
【００３１】
１１    全プレイリスト情報管理手段
１２    プレイリスト属性変更手段
１３    対象クリップ属性変更手段
１４    全クリップ情報管理手段
１５    プレイリスト属性変更判別手段
１６    ディスク書き込み手段
３１    ユーザ問い合わせ手段
４１    プレイリスト結合手段
４２    対象プレイリスト属性変更判別手段
５１    ユーザ問い合わせ手段
６１    リアルプレイリスト消去手段
６２    対象クリップ消去手段
６３    バーチャルプレイリスト情報変更判別手段
６４    バーチャルプレイリスト情報更新手段
１０１    プレイリスト属性更新情報
１０２    プレイリスト内クリップ情報
１０３    クリップ属性更新情報
１０４    クリップ情報
１０５    プレイリスト情報
１０６    プレイリスト属性変更指示情報
１０７    更新プレイリスト情報
３０１    ユーザ判定情報
４０１    結合対象プレイリスト
４０２    プレイリスト属性変更指示
４０３    プレイリスト結合更新情報
５０１    ユーザ判定情報
６０１    リアルプレイリスト内クリップ情報
６０２    クリップ消去更新情報
６０３    消去クリップ情報
６０４    バーチャルプレイリスト情報
６０５    バーチャルプレイリスト構成変更指示情報
６０６    バーチャルプレイリスト更新情報
【図１】
0004529937.tif 000002
【図２】
0004529937.tif 000003
【図３】
0004529937.tif 000004
【図４】
0004529937.tif 000005
【図５】
0004529937.tif 000006
【図６】
0004529937.tif 000007
【図７】
0004529937.tif 000008
【図８】
0004529937.tif 000009
【図９】
0004529937.tif 000010
【図１０】
0004529937.tif 000011